(57)【要約】本発明は光電子入力装置に係る。本発明は光電子入力装置に係る。該入力は対象物の検出された動作によって形成される。該光電子入力装置は、キャリア板上に取り付けられた少なくとも１つのレーザを有する光学モジュールを備えられる。該レーザは、対象物に近い板に案内される放射線ビームを発する。そこからの反射の後、レーザは、対象物の動作の典型的なものであり、モジュール内で測定されるレーザの共振空洞における変化を引き起こす。本発明によれば、対象物に近い板は、対象物の投射内で、第１の部分と第２の部分を有する。第１の部分は、それを介してビームが通過し得、キャリア板に対して固定された位置を有し、第２の部分は、キャリア板に対して垂直な方向に可動であり、信号手段を有する。信号手段が動かされる際、装置のユーザによって観察可能である信号を与える。このように、装置は、人間であるユーザの触覚及び望ましくは聴覚を介してフィードバックを与える。本発明はまた、かかる装置を製造する方法、及び、かかる装置を使用して対象物の動作を入力する方法に係る。
2006526830.tif 000002
【特許請求の範囲】
【請求項１】
光電子入力装置であって、
前記入力は対象物の検出された動作によって形成され、
前記入力装置は、測定放射線ビームを生成するよう共振空洞を有する少なくとも１つのレーザを有する光学モジュールと、前記対象物の近くの板に前記放射線ビームを案内する光学的手段と、放射を前記対象物によって反射された前記測定放射線ビームから電気信号へと転換する転換手段と、を有し、
前記転換手段は、前記レーザの前記共振空洞と、作動中の前記共振空洞における変化を測定する測定手段との組合せによって形成され、
前記変化は、前記共振空洞を貫通する前記測定放射線ビームの前記反射された放射及び前記共振空洞中の定在波の影響によって引き起こされ、前記モジュールに対する前記対象物の相対運動の典型的なものであり、
前記光学モジュールは、キャリア板上に取り付けられた前記レーザを有し、
前記光学的手段は、前記キャリア板上に取り付けられ前記レーザと整列された光学構成部品を有し、
前記レーザによって発された前記測定放射線ビームは、前記光学構成部品から前記対象物に近い前記板に対して移動し、
前記板は、前記対象物の近くで前記対象物の投射内に置かれて前記放射線ビームの経路を可能にし且つ前記キャリア板に対して固定された位置に置かれる第１の部分と、前記対象物の投射内に置かれて前記キャリア板に対して垂直な方向に可動である第２の部分とを有し、また、前記キャリア板に対して垂直な前記方向での動作の場合、前記装置のユーザが自分の感覚のうちの１つを使って受け取ることができる信号を出す信号伝達手段を有する、ことを特徴とする、
光学電子入力装置。
【請求項２】
前記信号伝達手段は、押された後に跳ね返り、且つ押された際に前記ユーザの触覚に対して感覚を与える押しボタンを有する、ことを特徴とする、
請求項１記載の光電子装置。
【請求項３】
前記押しボタンは、押される時に前記ユーザによって聞き取られ得る音響信号を発する、ことを特徴とする、
請求項２記載の光電子装置。
【請求項４】
前記押しボタンは、薄く、屈曲するスチール膜を有する、ことを特徴とする、
請求項２又は３記載の光電子装置。
【請求項５】
前記装置は、マイクロフォンを有し、前記マイクロフォンを用いて前記音響信号が電気信号に転換される、ことを特徴とする、
請求項３又は４記載の光電子装置。
【請求項６】
前記電気信号は、省エネルギのスリープモードから前記装置を起こすよう使用される、ことを特徴とする、
光電子装置。
【請求項７】
前記板の前記第１の部分は、前記キャリア板上に取り付けられた円形で透明であるブロック型のボディを有し、
前記押しボタンは、その中央に円形の開口を有し、前記開口内に前記ブロック型のボディが置かれ、
前記ブロック型ボディの上方表面は、前記押しボタンの上方表面と略同一表面であるか、又は、前記押しボタンが押され得るのに必要である程度にかなり低く置かれる、
ことを特徴とする、
請求項２乃至６のうちいずれか一項記載の光電子装置。
【請求項８】
前記板の前記第１の部分は、前記キャリア板上に取り付けられた輪状で透明であるブロック型のボディを有し、
前記押しボタンは、前記ブロック型のボディ内に置かれ、
前記ブロック型の上方表面は、前記押しボタンの上方表面と略同一表面である、
ことを特徴とする、
請求項２乃至６のうちいずれか一項記載の光電子装置。
【請求項９】
前記測定放射線ビームは、前記透明のブロック型のボディのより低い側の近くで、前記透明なブロック型のボディ内へと斜めに導かれ、前記測定放射線ビームは前記ブロック型のボディの上方側へとらせん状に動くようにされる、ことを特徴とする、
請求項７又は８記載の光電子装置。
【請求項１０】
前記板の前記部分の寸法は、人間の指によって形成される対象物に対して適切である、ことを特徴とする、
請求項１乃至９のうちいずれか一項記載の光電子装置。
【請求項１１】
前記レーザは、前記レーザの前記共振空洞が前記キャリア板に対して平行であるように前記キャリア板上に取り付けられる、ことを特徴とする、
請求項１乃至１０のうちいずれか一項記載の光電子装置。
【請求項１２】
入力装置に関連する対象物の前記動作を測定する方法であって、
この目的に対して請求項１乃至１１のうちいずれか一項記載の光電子入力装置が活用される、ことを特徴とする、
方法。
【請求項１３】
前記対象物は、前記装置の人間であるユーザの指によって形成される、ことを特徴とする、
請求項１２記載の方法。
【請求項１４】
光電子入力装置を製造する方法であって、
前記入力は対象物の検出された動作によって形成され、
前記入力装置は、測定放射線ビームを生成するよう共振空洞を有する少なくとも１つのレーザを有する光学モジュールと、前記対象物の近くの板に前記放射線ビームを案内する光学的手段と、放射を前記対象物によって反射された前記測定放射線ビームから電気信号へと転換する転換手段と、を有し、
前記転換手段は、前記レーザの前記共振空洞と、作動中の前記共振空洞における変化を測定する測定手段との組合せによって形成され、
前記変化は、前記共振空洞を貫通する前記測定放射線ビームからの前記反射された放射及び前記共振空洞中の定在波の影響によって引き起こされ、前記モジュールに対する前記対象物の相対運動の典型的なものであり、
前記光学モジュールは、前記レーザが取り付けられたキャリア板によって形成され、
前記光学的手段は、光学構成部品によって形成され、前記キャリア板上に取り付けられ、前記レーザと整列され、
前記レーザによって発された前記測定放射線ビームに関し、前記測定放射線ビームは、前記位置から前記対象物に近い前記板に案内され、
前記板は、前記対象物の近くで、２つの部分で形成され、
即ち、前記対象物の投射内に置かれた第１の部分は、前記放射線ビームを送るよう設計され、前記キャリア板に関連して固定された位置に配置され、前記対象物の投射内に置かれた第２の部分は、前記キャリア板に対して垂直な方向で可動であるよう形成され、信号伝達手段を備えられ、
前記信号伝達手段は、前記キャリア板に対して垂直な前記方向での動作の場合、前記装置の前記ユーザが前記感覚のうちの１つによって受け取ることができる信号を発する、
ことを特徴とする方法。
【発明の詳細な説明】
【技術分野】
【０００１】
本発明は、光電子入力装置に係る。該入力は対象物の検出された動作によって形成され、入力装置は、測定放射線ビームを生成するよう共振空洞を有する少なくとも１つのレーザを有する光学モジュール、対象物の近くの板に放射線ビームを案内する光学的手段、及び、放射を対象物によって反射された測定放射線ビームから電気信号へと転換する転換手段を有する。該転換手段は、レーザの共振空洞と、作動中の共振空洞における変化を測定する測定手段との組合せによって形成される。かかる変化は、共振空洞を貫通する測定放射線ビームの反射された放射及び共振空洞中の定在波の影響によって引き起こされ、モジュールに対する対象物の相対運動の典型的なものである。光学モジュールは、キャリア板上に取り付けられたレーザを有し、光学的手段は、キャリア板上に取り付けられレーザと整列された光学構成部品を有し、レーザによって発された測定放射線ビームは、光学構成部品から対象物に近い板に対して移動する。
【０００２】
かかる装置は、ＰＣ用の入力手段として特に適切であり、その場合は所謂マウスの機能に替わり得る。プリンタ又はスキャナにおいては、入力媒体又は出力媒体の動作が、装置を用いて検出され得る。本発明はまた、かかる装置を製造する方法、及び、かかる装置を用いて対象物の動作を測定する方法に係る。
【背景技術】
【０００３】
冒頭で言及された種類の装置は、２００２年８月８日発行の米国特許第２００２／０１０４９５７号明細書（特許文献１）より既知である。
【０００４】
特許文献１中の図９ａを参照すると、入力装置が図示されており、取り付けピンを備えられた最下部の形状を取るキャリア板上でレーザは、その共振空洞がキャリア板に対して平行であるように取り付けられる。前述の装置は、３つのかかるレーザを有しており、それらは、互いに対して１２０度の角度で取り付けられる（図９ｂ参照）。
【０００５】
レーザの周囲に輪状のボディが与えられ、該ボディの内部では、レーザによって発された測定放射線ビームをレンズを介してモジュールのキャップにある窓に案内する転換鏡が形成される。上述の窓の上方で動いている対象物において反射された放射の部分は、レーザの共振空洞に再び入る。共振空洞及び測定手段は、反射された放射に対する転換手段を形成する。共振空洞内で発生する変化は、対象物の相対運動の典型的なものである。例えば、測定手段は、レーザの共振空洞のインピーダンスの変化を測定する手段であり得る。放射検出器はまた、この目的に対して適切に使用され得る。
【０００６】
既知の装置の問題は、ユーザにとっての利便性が不十分であることにある。例えば特には装置が小さく、ラップトップ型又はハンドヘルド型コンピュータ、あるいは携帯電話等を意図する場合、装置を使用する人は、マウスを「クリック又はダブルクリックする」際に間違いをするが、これらのアクションはかかる装置によって非常によく検出される。
【特許文献１】米国特許第２００２／０１０４９５７号明細書
【発明の開示】
【発明が解決しようとする課題】
【０００７】
したがって本発明は、非常に小さい機器においてユーザの利便性が非常に高く、容易に適用可能である、冒頭で言及された種類の装置を与えることを目的とする。
【課題を解決するための手段】
【０００８】
これを達成するよう、本発明によれば、冒頭で言及された種類の装置は、板が第１の部分、第２の部分、及び信号伝達手段を有することを特徴とする。該第１の部分は、対象物の近くで対象物の投射（ｐｒｏｊｅｃｔｉｏｎ）内に置かれて放射線ビームの経路を可能にし、且つキャリア板に対して固定された位置に置かれる。該第２の部分は、対象物の投射内に置かれてキャリア板に対して垂直な方向に可動である。該信号伝達部は、キャリア板に対して垂直な方向での動作の場合、装置のユーザが自分の感覚のうちの１つを使って受け取ることができる信号を出す。
【０００９】
本発明は、まず第一に、既知の装置がユーザに対して十分なフィードバックを与えないという認識に基づく。装置は、標準的に、ユーザが自分のアクションの結果を監視し得るディスプレイ装置を有するが、これは実際には不十分であることが頻繁に見受けられる。本発明は更に、触覚は、特に効果的な形状でのフィードバックを構成するという認識に基づく。板の可動部分は、特に上述のクリックするアクションの場合においては、かかるフィードバックを与え得る。本発明は、最終的に、上述された手法が２つの本質的に相反する条件を効果的に克服するという認識に基づく。即ち、該条件のうち一方は、可動の板は、透明な場合であっても光電子装置の操作に悪影響を及ぼし得るため所望されないことであり、他方は、剛性の板がユーザに対してフィードバックを与えないことである。
【００１０】
望ましい一実施例では、信号伝達手段は、押された後に跳ね返り、且つ、押されたときにユーザの触覚に感覚を与える押しボタンを有する。これは、最もユーザにとって利便性の高いフィードバックであることを証明する。望ましくは、押しボタンは、押される際に、ユーザによって聞き取られ得る音響信号を与える。かかる目的に対して特に適切であると証明されるものは、屈曲する薄いスチール膜を有する押しボタンである。該ボタンは押される際に、クリック音を出し、よく跳ね返る。
【００１１】
本発明に従った装置の望ましい一実施例では、板の第１の部分がキャリア板上に取り付けられた円形で透明なブロック型ボディを有し、押しボタンは、その中央に、中にブロック型ボディが置かれる円形の開口を有する。前述のブロック型ボディの上方面は、押しボタンの上方面と略同一面であるか、又は、押しボタンが押され得るのに必要な程度にかなり低く置かれる。本実施例では、測定ビームは、例えば、ユーザの指の下方の中心に置かれた透明のブロックを介して板の固定された位置に案内される。この場合、測定ビームは、ブロックの上に置かれた板及び対象物に到達する前に、ブロック内で複数回反射し得る。長い光路は、装置の正確な操作に対して必要とされ得る。
【００１２】
更なる修正は、板の第１の部分は、キャリア板上に取り付けられた輪状の透明なブロック型ボディを有すること、及び、押しボタンはブロック型ボディ内に置かれ、ブロック型ボディの上方表面がボタンの上方表面と略同一面であること、又は、押しボタンは、押しボタンが押され得るのに必要な程度にかなり低く置かれることを、特徴とする。またかかる修正において、測定ビームは、例えば鏡（鏡面）等反射構成要素を使用して透明なブロックへと案内される。かかる修正は、測定ビームが、複数回壁から反射されると同時に、ブロックから板へとらせん状に移動する、という利点を有する。かかる場合には、光路は、輪状の経路が対象物の投射内で可能な限り最大の外側の円周を有するため、余分に長くあり得る。
【００１３】
望ましくは、装置はレーザを有し、その共振空洞は装置の（最大の）表面に対して平行に延びる。かかるレーザは、高価なものではなく、キャリア板上での取り付けが容易であり、放射線ビームをキャリア板に対して小角度で透明のブロック型ブロックへと案内することを容易にする。かかる小角度は、多重反射によって光路を延ばすことをより容易にする。望ましくは、測定手段は、キャリア板上に取り付けられた放射線検出器の形をとり、光学構成要素は、キャリア板上に取り付けられ且つブロック型ボディを有するキャップの側壁上に、鏡面として取り付けられる。
【００１４】
望ましい一実施例では、装置は、音響信号が検出され得るようマイクロフォンを有する。必要に応じて、信号は、内蔵型（小型）ラウドスピーカによって増幅された後に、再生され得る。マイクロフォンの電気信号はまた、装置を省エネルギーのスリープモードから起こすよう有利に使用され得る。装置は、装置がある期間不作動である際に設定されるべき内蔵型ホテル回路（ｈｏｔｅｌ  ｃｉｒｃｕｉｔ）を用いてかかるスリープモードに入れられ得る。故に装置は、ワイヤレスで電池式のコンピュータのマウス等に、非常に適切に適用され得る。
【００１５】
入力装置に対する対象物の動作を測定する方法は、本発明によれば、かかる目的のために光電子入力装置が活用される、ことを特徴とする。望ましくは、動く対象物は、装置のユーザの指によって形成される。
【００１６】
光電子入力装置を製造する方法では、入力は対象物の検出された動作によって形成される。入力装置は、測定放射線ビームを生成するよう共振空洞を有する少なくとも１つのレーザを有する光学モジュール、対象物の近くの板に放射線ビームを案内する光学的手段、及び、放射を対象物によって反射された測定放射線ビームから電気信号へと転換する転換手段を有する。転換手段は、レーザの共振空洞と、作動中の共振空洞における変化を測定する測定手段との組合せによって形成される。該変化は、共振空洞を貫通する測定放射線ビームからの反射された放射及び共振空洞中の定在波の影響によって引き起こされ、モジュールに対する対象物の相対運動の典型的なものである。光学モジュールは、レーザが取り付けられたキャリア板によって形成される。光学的手段は、光学構成部品によって形成され、キャリア板上に取り付けられ、レーザと整列される。測定放射線ビームは、レーザによって発された測定放射線ビームに対し、前述の位置から対象物に近い板に案内される。該板は、対象物の近くで、２つの部分で形成される。即ち、対象物の投射内に置かれた第１の部分は、放射線ビームを送るよう設計され、キャリア板に関連して固定された位置に配置される。対象物の投射内に置かれた第２の部分は、キャリア板に対して垂直な方向で可動であるよう形成され、信号伝達手段を備えられる。信号伝達手段は、キャリア板に対して垂直な方向での動作の場合、装置のユーザが感覚のうちの１つによって受け取ることができる信号を発する、ことを特徴とする。望ましくは、押しボタンは、触覚及び聴覚を介して人間であるユーザにフィードバックを与えることができるため、信号手段として使用される。
【発明を実施するための最良の形態】
【００１７】
本発明のこれらの及び他の面は、以下に記載される実施例を参照して明らかに及び説明される。
【００１８】
図面は、実寸大に描かれてはおらず、厚さ方向の寸法等のいくつかの寸法は、明確さのために誇張される。多種の図面では、対応する範囲又は部分は、可能な限り同一の参照符号を用いて示される。
【００１９】
図１は、本発明に従った光電子入力装置の第１の例の斜視の線図であり、図２は、図１中の装置の線ＩＩ−ＩＩでとられた断面の線図である。図２の断面図は、環状に左右対称であるため、半分のみを図示する。本例の入力装置１０は、この場合はＰＣＢ（プリント基板）４であるキャリア板４を有するモジュール１１を有する。このキャリア板上には、導体パターンがあり、その上にレーザ１及び光ダイオード３が取り付けられる。レーザ１及び光ダイオードの上方接続に対しては、ワイヤ接続２０を活用する。レーザ１及び光ダイオード３の一側上には、本例では平面鏡である鏡２の形状で光学手段２がある。該光学手段は、レーザ１によって発された測定放射線ビームＳを受け、かかるビームをこの場合はキャリア板に対して約３０度の角度で、この場合は円形で透明であるブロック型ボディ６に送る。該ボディは、レーザ１の他側でキャリア板４上に置かれる。
レーザ１と光ダイオード３、及びブロック６の外側の放射経路Ｓ全体は、透明のカプセル内に置かれる。本例では、モジュール１１は複数のレーザ１を有するが、図面ではそのうちの１つのみを図示する。また、各レーザ１に関連付けられた部分２、３は、対応する数で存在する。
【００２０】
ブロック型ボディ６は、この場合全体的に、ここではＰＭＭＡである透明な合成樹脂で作られる。放射線ビームＳ（図２参照）は、ボディ６に入り、複数回の内部反射後の後、板Ｖの上方面に到達する。前述の板Ｖは、本発明によれば、２つの部分Ｖ１及びＶ２を有する。Ｖ１は、固定して配置されたブロック６によって形成され、Ｖ２は、円形の穴を備えられた金属膜５によって形成される。前述の約１００μｍの厚さの膜は、この場合は不透明な合成樹脂である輪状のブロック６６に置かれ、それに取り付けられる。部分Ｖ１及びＶ２はいずれも、板Ｖの上方で動く特には人間の指である対象物Ｍの投射内に置かれる。膜５は、ブロック６より僅かに高い位置でブロック６から引き離されるため、指Ｍで押さえられ得、例えばクリック又はダブルクリックをする時に触覚を介してユーザにフィードバックを与える。加えて、前述の膜５は、押しボタンの形状を取り、押される際に音響信号を発する。かかる音響信号は、ユーザの聴覚を介するフィードバックを高める。膜５は、押された後本来の位置に跳ね返り、再度押されるべく準備する。
【００２１】
動く指Ｍで反射された放射線は、レーザ１の共振空洞に到達し、動作によって作られた干渉の発生の結果、変化を引き起こす。本例では、レーザ１の共振空洞における変化の発生は、この場合光ダイオード３である放射線検出器３を使用して測定され、光ダイオード上でレーザ１によって発された放射線の一部も入射する。これは、例えば、図示されてはいないがブロック６６上に置かれる更なる鏡を使用することで行われる。必要に応じて、キャリア板４は、レーザ１に対して、図示されてはいないが冷却部材を備えられ得る。不透明なブロック６６及び不透明な押しボタン５は、周辺光に対してモジュール１１を保護する。ブロック型ボディ６の側面１６は、この場合は、放射線ビームがボディ６に入る際に、放射線ビームの反射を妨げるよう外側に向かって傾くようにされる。
【００２２】
本例の装置１０は、この場合はキャリア板４の下方側上にマイクロフォン３３を更に有する。該マイクロフォンを用いて、膜５からの音響信号が記録され得、必要に応じて小型ラウドスピーカ３４で増幅され得る。本例では、装置１０は、コンピュータのマウスの一部を形成し、図示されていはいないが所謂ホテル回路を備えられる。該回路は、マウスが一定の期間待機している場合に、装置１０のほとんどの構成部品への電流供給が中断されるようにする。結果として、その状況での電流の消費量が低くなる。図示されてはいないが、マイクロフォン３３及び制御回路のみが、無停電電源を有する。ボタン５押される際にマイクロフォン３３によって発される電気信号は、例えば、全ての必要な構成部品に対する電流供給を作動させるよう使用される。装置１０は、故に、ユーザによって「スリープモード」から容易に起こされ得、その目的に対して要求される多くの追加的な準備が不要である。
【００２３】
本例の装置１０は、本発明に従った方法を使用して以下の通り製造される。基盤としてＰＣＢ４が使われ（図２等参照）、その上方側は、レーザ１及び光ダイオード３等の電気的に活性の部品の接続用に導体パターンを備えられる。特に、レーザ１及び光ダイオード３等の位置合わせに慎重を期する部分、及び図示されてはいないがブロック型ボディ６，６６には、所定の正確に定義付けられた位置で板４の上方側４上にはんだ領域が備えられる。これらの領域の寸法は、レーザ１、光ダイオード３及びボディ６，６６等の設置されるべき部分の寸法に対して略同等であるよう選択される。これらの部分１，３，６，６６の全ては、図示されてはいないが金属層を有する下方側に備えられる。
【００２４】
次に、上述された部分１，３，６，６６は、ピック・アンド・プレイス機を使用して上述されたはんだ領域上に比較的正確に設置される。これらは、はんだ付け工程中に板４に取り付けられ、該工程において、設置された部分の小さな偏差は自動的に修正される。
【００２５】
このようにして、モジュール１１の部分１，３，５，６の互いに対して十分正確な位置合わせは、容易で迅速且つ低コストに達成され得る。他の部分もまたこのように取り付けられ得る。前述の部分のかかる表面実装の後、電気的に活性の部品の必要な追加的電気的接続は、例えばワイヤ接続を使用してなされる。
【００２６】
続いて、必要に応じて、シリコン合成樹脂８の溶滴は、レーザ１、光ダイオード３及び鏡２を覆うよう与えられ、それらに放射線透明（ｒａｄｉａｔｉｏｎ−ｔｒａｎｓｐａｒｅｎｔ）なカプセル８を与える。該カプセル内には、放射線経路Ｓの全体が置かれる。電気的に活性の部品１，３の電気的接続は、図示されてはいないが、モジュール１１を越えて延び、キャリア板４の上部又は下に置かれ得る。例えば加熱することによるカプセル８の硬化後、押しボタン５は、事前に又は製造中のいずれかで円形の穴を備えられてブロック６６上に設置され、接着剤等を用いて取り付けられる。これで装置１０は使用の準備が整う。多数の装置１０は、同時に製造され得る。切断等の分離技術を使用して互いに対して分離され得る。個々の装置１０の寸法は、約３０×３０ｍｍであり、高さは約１０ｍｍを超えない。ボディ６は、高さ１０ｍｍ及び直径５ｍｍを有する。
【００２７】
図３は、本発明に従った光電子入力装置の第２の例の斜視の線図であり、図４は、図３中の装置の線ＩＶ−ＩＶでとられた断面の線図であり、この場合は半分のみを図示する。第１の例との唯一の最も重要な相違について、これより論じる。本例では、板Ｖの部分Ｖ１、Ｖ２は、透明な輪状のボディ６及びスチール膜５によって形成され、スチール膜はその中に置かれて上に乗せられ取り付けられる。また、この場合は、部分５，６のいずれも、対象物Ｍの投射内に置かれ、押しボタンはリングの上方に僅かに突出する。本改良型は、特に放射線ビームＳがブロック６を介してらせん状に動く場合、光学経路の長さは非常に長くなり得、長い光学経路の長さは、対象物Ｍの動作に光電子検出の適切な操作によい影響を与え得る、という利点を有する。更なる利点は、モジュール１１が比較的少ない部分を有すること、及び、押しボタン５が穴を備えられる必要がないことであり、従っていずれもがよりよく且つより長く機能することである。本例では、放射線ビームＳは、直角にブロック６に入る。前述のブロックの下方側では、空気充填された空洞２６が形成され、その結果、ブロック６は内部鏡２を備えられる。該内部鏡を介してビームＳは、ブロック６の側壁に対する複数の反射の後に、ブロックの上方表面に到達し得る。コレに関連して、ブロックの外側は、必要に応じて反射的な不透明な被覆を与えられる。本例の装置１０の製造は、第１の例に関して説明されたのと同様に行われる。
【００２８】
本発明は、上述された例に制限されず、当業者にとっては本発明の範囲内で多くの変更及び修正が可能である。例えば装置は、異なる形状及び／又は異なる寸法を有して製造され得る。また、関連付けられた部分を有するただ１つのレーザ１を有する装置は、有利に適用され得る。ＰＣＢ基板の代わりに、ガラス又はセラミックの基板が活用され得る。
【００２９】
装置は、集積回路の形状であるか否かにかかわらず、ダイオード及び／又はトランジスタ及び／又はキャパシタ等の、更なる能動及び受動の半導体構成要素又は電気構成部品を有し得る、ことが更に留意される。製造は当然のことながらそれに適合する。レーザの共振空洞における関連する変化はまた、単に電気的な方法で決定付けられ得る。また、プロセッサ、又はレーザを読み及び／又は制御する電子機器の追加も含まれる。
【００３０】
最後に、本発明は、特に人間であるユーザの場合での使用を意図するが、ユーザは例えば動物でもあり得る。ユーザは、また、ロボットの形状などの機械又は器具を有し得る。
【図面の簡単な説明】
【００３１】
【図１】本発明に従った光電子入力装置の第１の例の斜視の線図である。
【図２】図１中の装置の線ＩＩ−ＩＩでとられた断面の線図である。
【図３】本発明に従った光電子入力装置の第２の例の斜視の線図である。
【図４】図３中の装置の線ＩＶ−ＩＶでとられた断面の線図である。
【図１】
2006526830.tif 000003
【図２】
2006526830.tif 000004
【図３】
2006526830.tif 000005
【図４】
2006526830.tif 000006
【国際調査報告】
2006526830.tif 000007
2006526830.tif 000008